(57)【特許請求の範囲】
【請求項１】
板金ワークを押圧する複数の分割板押え金型の相互隣接面に上下方向の相対移動を防止するための係合手段として、前記金型の相互隣接面において互いにインロー式に係合する凸部及び凹部を設けたことを特徴とする折曲げ加工装置。
【請求項２】
板金ワークを押圧する複数の分割板押え金型の相互隣接面に上下方向の相対移動を防止するための係合手段として、前記金型の相互隣接面において互いに係合する相補形状の各セレーション部を設けたことを特徴とする折曲げ加工装置。
【発明の詳細な説明】
【０００１】
【産業上の利用分野】
本発明は、板金ワーク折曲げ加工装置に、またさらに詳細には、しごき曲げ機械における各分割板押え金型の継ぎ目部分のワークに対する曲げ加工傷発生防止手段に関するものである。
【０００２】
【従来の技術】
例えば長方形の板金ワーク（素材）の４辺の端縁をそれぞれ直角に折曲げて箱形（いわゆる“箱曲げ”）製品を作製するには、従来、図１３にその曲げ加工の要部側面図を示す公知のプレスブレーキなど、パンチＰとダイＤとの上下金型を使用する折曲げ加工機械が多く用いられている。
【０００３】
しかしながら、最近、その折曲げ加工作業の連続的な自動化を達成するために、例えば図６にその一例図を示すようないわゆる“しごき曲げ”機械による加工が行われている。
【０００４】
図６は、その加工部の要部側面図を示すもので、１は分割上板押え金型（以下、“分割金型”と略称する）、２はボトムダイ、３は、ワーク供給装置としてのマニピュレータ４に把持された曲げ刃を示し、分割金型１とボトムダイ２との間に挟持された板金ワーク（素材）Ｗを、下方から曲げ刃３を回動上昇させて分割金型１の端縁部を図示のようにしごき曲げを行うようにしたものである。図６における２点鎖線で示すワークＷの折曲げ部は、曲げ加工時のスプリングバック現象を説明している。
【０００５】
例えば長方形ワークＷから前記箱形製品を作成するためには、通常、短辺側の対辺を折曲げた後に、それぞれ長辺側の対辺の折曲げ加工を行うが、板押え用金型１は、これら加工部のそれぞれの折曲げ長さに対応し得るようにするため長さ方向分割型として、その数量の組み合わせにより金型長さを所定長に調整し得るるよう構成されている。
【０００６】
図７に、この種の分割金型１の一例の下部拡大斜視図を、また図８（ａ），（ｂ）に、ワークＷの折曲げ長さにそれぞれ対応した各分割金型１の複数の組合せ配設状態の２例を示す。中央部の金型１２は、中心セグメント金型である。
【０００７】
なお、これらの分割金型１の加工幅変更装置に関しては、例えば、特開昭６２−２０７４１９号公報等にその一例が開示されているため、その変更手段の詳細説明は省略する。
【０００８】
図９（ａ），（ｂ），（ｃ）に、“正曲げ”加工動作シーケンスの概要側面図を示す。すなわち、図９（ａ）において、４はワーク供給装置（マニピュレータ）で、これに把持された板金ワークＷは、ボトムダイ２上に移動して載置される。４ａはマニビュレータ移動用ボールねじを示す。３は、軸心３ａ回りに回動可能の曲げ刃で、それぞれ下曲げ刃１４と上曲げ刃１５とを備えている。
【０００９】
つぎに図９（ｂ）において、所定折曲げ幅の長さに調節された複数の分割金型１がワークＷの所定位置をボトムダイ２上に降下してワークＷを挟持し、曲げ刃３が上向きに回動して、下曲げ刃１４により図９（ｃ）に示すように所定の折曲げ加工を行う。
【００１０】
なお、ワークＷを下方に折曲げる“逆曲げ”加工動作の場合の加工動作シーケンスの概要側面図を図１０（ａ），（ｂ）に示す。１６は分割下板押え金具、１７はアッパダイを示し、“逆曲げ”の場合は、曲げ刃３を図１０（ｂ）における矢印方向に回動させて、上曲げ刃１５によりワークＷの逆曲げを行うよう構成されている。
【００１１】
【発明が解決しようとする課題】
しかしながら、以上のような個々の分割金型１は、前記図７例に示すような形状を有しているため、例えば“正曲げ”加工時には、分割金型１の下方向から外力Ｆが加えられた場合、各分割金型１の受圧部の微小撓み（曲げ変形）が、図１１に誇張して示すように先端部で特に大きいため、加工されるワークＷの表面には、図１２にその短辺曲げ部の一部を示すように、各分割金型１のそれぞれ隣接部のワーク表面に加工傷跡１３が発生する傾向を生じ製品の品質を低下させる可能性がある。
【００１２】
この傾向は、“逆曲げ”加工時においても同様であることはもちろんである。
【００１３】
本発明は、以上のようなこの種の分割金型の問題点にかんがみてなされたもので、前記各金型の撓み量の差をなくする（すなわち、撓み量を均一化する）ことにより、曲げ加工時のワークＷ表面上に前記のような加工傷跡の発生を防止するための手段の提供を目的としている。
【００１４】
【課題を解決するための手段】
このため、本発明においては、板金ワークを押圧する複数の分割板押え金型の相互隣接面に上下方向の相対移動を防止するための係合手段を設けるよう構成することにより、前記目的を達成使用とするものである。
【００１５】
【作用】
以上のような本発明構成により、それぞれ隣接して組合せられた複数の分割板押え金具の上下方向からの圧力による各隣接面の上下方向のずれがなくなり。各金型各部の上下方向の撓み変形が均一化されるため、板金ワーク表面への加工傷の発生を防止することができる。
【００１６】
【実施例】
以下に、本発明を“正曲げ”加工持における分割上板押え金型の複数の実施態様例に基づいて説明する：
（第１実施例）
図１（ｂ）及び図２に本発明に係る分割上板押え金型（“分割金型”）の第１実施例の単独の要部形状及び複数の組合せ形状の側面図を示す。図１（ａ）は、従来の分割金型１形状の一例を示し、同（ｂ）図は、本第１実施のそれぞれ要部（Ａ部及びＢ部）形状の対比を示すもので、本実施例（ｂ）図は、Ａ部に突起部５を設け、その下縁高さ及び下面傾斜面６ａを、Ｂ部における高さ及び上面傾斜面６にインロー式に正確に適合して嵌合するよう構成し、これらをワークＷの所要の曲げ幅に適合するように複数個を組合せたとき、図２に示すように、隣接する金型のＢ部の撓みは、適合する突起部５により補強されて生じなくなり、各分割金具１の下方からの加圧圧力Ｆにより前記１１図のような微小変形を生じないようにしてワークＷ表面に折曲げ加工時の各金型隣接部に加工傷跡１３が発生しないように構成したものである。
【００１７】
（第２実施例）
図３は、第２実施例の互いに隣接する分割金型１間の当接部にそれぞれ互いに精密に適合して嵌合する相補形状のセレーション７，７ａを形成したものであり、前記第１実施例と同様に分割金型１の前記図１（ａ）Ｂ部の微小撓みを抑制して同一の目的を達成することができる。
【００１８】
（第３実施例）
図４は、第３実施例の隣接する分割金型１ａ，１ｂの一方の金型１ｂの当接部に、他方の金型１ａよりの連結シャフト８が貫入する精密嵌合穴９を穿設し、この他方の分割金具１ａの内部より例えば油圧シリンダ８ａを用いて連結シャフト８を分割金型１ｂの嵌合穴９中に挿入嵌合し得るよう構成することにより、分割金型１ａの隣接先端部の下方からの圧力変形に対抗することにより、前記各実施例と同様の効果を得るようにした態様例である。
【００１９】
（第４実施例）
図５に、第４実施例の隣接する分割金型の当接部の要部断面図を示す。隣接する一方の分割金型１の斜面６（図１（ａ）参照）に適合する下側斜面１０ａを有する固定用ブロック１０を、上下動自在に設け、上側より例えば油圧シリンダ１１及びピトンロッド１２を用いて前記斜面６上に圧接して、前記第１実施例に相当する効果を得ようとするものである。
【００２０】
（他の実施例）
なお、本発明に係る係合手段は、必ずしも前記各実施例のみに限定されるものでなく、他の種々の変形態様を採用することができる。
【００２１】
また、前記各実施例は、いずれも“正曲げ”時の分割上板押え金型の事例について説明したが、この原理は“逆曲げ”時の分割下板押え金型（図１０の１６）についても全く同様に適用し得ることはもちろんである。
【００２２】
【発明の効果】
以上説明したように、本発明によれば、例えばしごき曲げ機械により板金ワークの箱曲げ作業を行うとき、曲げ幅を調整設定可能の複数の分割板押え金型において、それぞれ隣接する各分割板押え金型の隣接面に相互に係合して、上下方向の圧力による撓み防止手段を設けたため、隣接部の局部的撓みが防止され、被加工ワーク上に加上傷跡がつかなくなり、製品の品質の向上に寄与し得る。
【図面の簡単な説明】
【図１】  第１実施例の要部単独形状側面図
【図２】  第１実施例の組合せ形状側面図
【図３】  第２実施例の組合せ形状側面図
【図４】  第３実施例の組合せ形状側面図
【図５】  第４実施例の組合せ形状側面図
【図６】  しごき曲げ機械の加工部の要部側面図
【図７】  分割金型の一例の下部拡大斜視図
【図８】  分割金型の複数の組合せ状態図例
【図９】  しごき曲げ機械の正曲げ加工動作シーケンス図
【図１０】  しごき曲げ機械の逆曲げ加工動作シーケンス図
【図１１】  分割金型撓み変形説明図
【図１２】  ワークの加工傷跡例
【図１３】  プレスブレーキ曲げ加工要部側面図
【符号の説明】
１，１ａ，１ｂ  分割上板押え金具
２  ボトムダイ
３  曲げ刃
３ａ  軸心
４  マニピュレータ
５  突起
６  上面傾斜面
６ａ  傾斜面
７，７ａ  セレーション
８  連結シャフト
８ａ  シリンダ
９  嵌合穴
１０  固定ブロック
１０ａ  斜面
１１  シリンダ
１２  中心セグメント金型
１３  加工傷跡
１４／１５  下／上曲げ刃
１６  分割下板押え金具
１７  アッパダイ
Ｗ  板金ワーク
【図１】
0003727380.tif 000002
【図２】
0003727380.tif 000003
【図３】
0003727380.tif 000004
【図４】
0003727380.tif 000005
【図５】
0003727380.tif 000006
【図６】
0003727380.tif 000007
【図７】
0003727380.tif 000008
【図８】
0003727380.tif 000009
【図９】
0003727380.tif 000010
【図１０】
0003727380.tif 000011
【図１１】
0003727380.tif 000012
【図１２】
0003727380.tif 000013
【図１３】
0003727380.tif 000014